(57)【要約】      （修正有）【課題】各セクタの書換え回数管理を容易に行うことができる、書き換え管理技術を提供する。【解決手段】ディスクの各セクタにインジケータ領域を設け、当該セクタの書換え回数Ｎに対して、１／Ｎの確率でインジケータ領域の所定の領域を記録する。これにより各セクタ一単位で記録可能上限回数が明確になり、上限回数に対して所定の値を超えないとベリファイしないので高速に書き換えを行なうことができる。また、書き換え回数が多くなったときにベリファイされるので記録データの品質を保証することができる。【選択図】  図１
2004213787.tif 000002
【特許請求の範囲】
【請求項１】
複数のセクタから構成され、前記各セクタにはセクタアドレスを示すＩＤ領域と、ユーザデータ領域と、ＥＣＣ領域と、前記ユーザデータ領域及び前記ＥＣＣ領域の書換え回数を管理するインジケータ領域とを備え、前記インジケータ領域は、前記ユーザデータ領域及び前記ＥＣＣ領域がＮ回書き換えられた時、１／Ｎの確率で所定の長さずつ記録されることを特徴とする情報記録媒体。
【請求項２】
請求項１記載の情報記録媒体において、前記インジケータ領域はその始端から順次記録されることを特徴とする情報記録媒体。
【請求項３】
複数のセクタから構成され、各セクタにはセクタアドレスを示すＩＤ領域と、ユーザデータ領域と、ＥＣＣ領域と、前記ユーザデータ領域及び前記ＥＣＣ領域の書換え回数を管理するインジケータ領域とが設けられたディスクの当該セクタの書換え回数を管理するために、１〜Ｎのタイマ値を順次出力するタイマを設け、当該セクタを書き換える毎に前記タイマ値を検出し、前記タイマ値が特定の値の時に、前記インジケータ領域を所定の長さの分だけ記録することを特徴とする情報記録媒体記録装置。
【請求項４】
請求項３記載の情報記録媒体記録装置において、前記インジケータ領域に記録済み領域と未記録領域がある場合、前記タイマ値が特定の値の時に、前記インジケータ領域の先頭から記録し、記録しながら前記記録済み領域と前記未記録領域の境界を検出し、前記境界を検出したらその位置から一定の長さ記録した後に記録を停止することを特徴とする情報記録媒体記録装置。
【請求項５】
各セクタのユーザデータ領域及びＥＣＣ領域の書換え回数Ｎに対して、１／Ｎの確率で、インジケータ領域の所定の長さの領域が記録されたディスクのインジケータ領域を再生し、再生されたインジケータ領域の記録長からユーザデータ領域及びＥＣＣ領域の書換え回数を算出することを特徴とする情報記録媒体再生装置。
【請求項６】
請求項５記載の情報記録媒体再生装置において、前記セクタの前記算出された書換え回数が前記ディスクの最大書換え可能回数の所定の割合になった場合、前記セクタに記録されたデータを再生し、ＥＣＣによるエラー数から記録の質を評価することを特徴とする情報記録媒体再生装置。
【請求項７】
請求項６記載の情報記録媒体再生装置において、前記エラー数が所定値を超えた場合、スペア領域を設け、前記セクタのユーザデータ及びＥＣＣを前記スペア領域に記録することを特徴とする情報記録媒体再生装置。
【発明の詳細な説明】
【０００１】
【発明の属する技術分野】
本発明は情報記録媒体、情報記録媒体記録装置及び再生装置に係り、特に、記録媒体への書換え回数をセクタ単位で管理することが出来る書換え回数管理技術に関する。
【０００２】
【従来の技術】
第１の従来技術では、情報の記録及び消去が可能な相変化型光記録媒体において、オーバライトされる回数が多いと予想される領域、例えば試し書き領域のオーバライトした回数が内周側の領域に記録され、この領域に記録された回数が所定のオーバライト制限回数以上になった場合に情報の記録が出来ないようにしている（例えば、特許文献１参照）。
第２の従来技術では、書き換え可能な光ディスク上の所定領域を複数のゾーンに分割し、これら各ゾーンの記録回数を光ディスク３箇所の所定領域に記録し、記録再生領域への記録を行う際に、記録回数が特定のゾーンに集中しないように記録を行っている（例えば、特許文献２参照）。
第３の従来技術では、書き換え可能な光ディスクにデータブロック領域（セクタに対応）を構成し、このデータブロックは書き換えカウント部及びデータ部から構成され、データ部にデータを書き換えた場合に書き換えカウント部で書き換え回数をカウントする（特許文献３参照）。
【０００３】
【特許文献１】
特開平８−３１５３６０号公報
【特許文献２】
特開２０００―５７６８９号公報
【特許文献３】
特開２０００―１１３４５６号公報
【０００４】
【発明が解決しようとする課題】
第１の従来技術では、使用頻度の多い試し書き領域のオーバライト回数しか管理することが出来ない。また、オーバライト回数を記録する内周側の領域はオーバライトする度にインクリメントしなければならず、記録に時間がかかる。
第２の従来技術では、各ゾーンをどれだけ細かくするかによるが、一つのゾーンのいずれかの場所に１回書き込むと、そのゾーンの記録回数を増やすことになるため、大まかな管理になる。
第３の従来例では、データ部にデータを書き換える度に書き換えカウント部をインクリメントする必要がある。インクリメントするには、データを読出す必要があるため、記録に要する時間が増大する。
【０００５】
本発明の目的は、上記従来技術の欠点を解決し、書き換え回数の更新を確率的に処理することによって、セクタ毎の書き換え回数管理を容易に行うことが出来る書き換え管理技術を提供することにある。
【０００６】
【課題を解決するための手段】
本発明の目的を達成するために、第１の発明では、情報記録媒体は、複数のセクタから構成され、前記各セクタにはセクタアドレスを示すＩＤ領域と、ユーザデータ領域と、ＥＣＣ領域と、前記ユーザデータ領域及び前記ＥＣＣ領域の書換え回数を管理するインジケータ領域とを備え、前記インジケータ領域は、前記ユーザデータ領域及び前記ＥＣＣ領域がＮ回書き換えられた時、１／Ｎの確率で所定の長さずつ記録される。
【０００７】
第２の発明では、情報記録媒体記録装置は、複数のセクタから構成され、各セクタにはセクタアドレスを示すＩＤ領域と、ユーザデータ領域と、ＥＣＣ領域と、前記ユーザデータ領域及び前記ＥＣＣ領域の書換え回数を管理するインジケータ領域とが設けられたディスクの当該セクタの書換え回数を管理するために、１〜Ｎのタイマ値を順次出力するタイマを設け、当該セクタを書き換える毎に前記タイマ値を検出し、前記タイマ値が特定の値の時に、前記インジケータ領域を所定の長さの分だけ記録する。
【０００８】
第３の発明では、情報記録媒体再生装置は、各セクタのユーザデータ領域及びＥＣＣ領域の書換え回数Ｎに対して、１／Ｎの確率で、インジケータ領域の所定の長さの領域が記録されたディスクのインジケータ領域を再生し、再生されたインジケータ領域の記録長からユーザデータ領域及びＥＣＣ領域の書換え回数を算出する。
【０００９】
【発明の実施の形態】
以下、本発明の実施の形態について、実施例を用い、図を参照して説明する。
図１は本発明による情報記録媒体記録再生装置の一実施例を示すブロック図である。図において、書き換え可能な記録媒体である光ディスク１０１には光ピックアップ１０２からレーザビームが照射される。また、光ディスク１０１から反射された反射光は光ピックアップ１０２のフォトディテクタで検出され、Ｉ−Ｖアンプ１０４でフォトディテクタからの出力を電圧に変換する。なお、本実施例で、光ピックアップ１０２には、半導体レーザ、対物レンズ等の光学系、フォーカシングアクチュエータ、トラッキングアクチュエータ、フォトディテクタ、及びレンズポジションセンサ等で構成される。
Ｉ−Ｖアンプ１０４の出力はアナログ信号処理回路１０８に入力され、ここでＩ−Ｖアンプ１０４の出力は演算され、フォーカスエラー信号、トラッキングエラー信号、ウォブリング信号を生成し、フォーカシング及びトラッキング処理部に入力され、フォーカスエラー信号、トラッキングエラー信号に基づいて、フォーカシングアクチュエータ、トラッキングアクチュエータ制御を行う。アナログ信号処理回路１０８から得られた反射光再生信号はイコライザ１１３で反射光再生信号の波形等化が行われ、二値化回路１１７で二値化され、ＰＬＬ回路１１６に入力される。ＰＬＬ回路１１６で二値化信号からチャネルクロックが生成され、デコーダに入力される。デコーダ１１８ではＰＬＬ回路１１６で作成したチャネルクロックで二値化信号をデコードして、データを復調する。従って、デコーダ１１８の出力端子には再生データが得られる。
【００１０】
１０９は試し書き領域（ＰＣＡ）に試し書きした際に、光ディスク１０１から得られた反射光に相当する二値化されたデータを処理する反射光処理部であり、反射光処理部１０９の出力はＭＰＵ１１９に入力され、ＭＰＵ１１９の出力によってレーザドライバ１０５に設定するパラメータを微調整する。従って、反射光処理部１０９の出力を用いて、ランニングＯＰＣ（ＯＰＣ：Ｏｐｔｉｍｕｍ  Ｐｏｗｅｒ  Ｃａｌｉｂｒａｔｉｏｎ）を行うことができる。１１２アシンメトリ処理部であり、アナログ信号処理回路１０８から出力された反射光再生信号から記録パワー毎のベータ（β）値を作成する。従って、このデータをＭＰＵ１１９に入力することによって、β値を基に最適パワーレベルを決定することができる。なお、ＭＰＵ１１９では、各回路へのクロックや制御信号の供給や割り込み信号の処理、ファームウェアの制御等を行う。１１４はウォブル処理部であり。アナログ信号処理回路１０８で生成されたウォブリング信号からウォブル周期を作成する。このデータはＭＰＵ１１９及びスピンドル制御回路１１１に入力される。ウォブル周期はクロックの生成やスピンドル制御に使用される。また、セクタ内のシンクフレームタイミングもウォブル周期で作成することができる。
【００１１】
記録データはエンコーダ１１５で８／１６変調され、記録パルス発生器１１０に入力される。記録パルス発生器１１０では、エンコーダ１１５から入力された変調データからＮＲＺＩを生成して、レーザ制御ドライバ１０５に出力される。レーザ制御ドライバ１０５では、入力されたＮＲＺＩ信号を発光波形に変換し、半導体レーザ（図示せず）のパワーレベル、発光パルス幅の制御を行う。
スピンドル制御回路１１１は、ウォブル処理部１１４から入力されたウォブル信号及びＭＰＵ１１９の固定周期発生器から入力された信号によってドライバ駆動のための周波数を生成する。スピンドル制御ドライバ１０６は、ＣＡＶ制御時にはスピンドル制御回路１１１から入力された倍速に応じた一定周波数を電圧に変換してスピンドルモータ１０３を駆動する。また、ＣＬＶ制御時には、スピンドル制御回路１１１から入力されるウォブル信号周期に基づいて生成された可変周波数を電圧変換してスピンドルモータ１０３に供給する。
【００１２】
以下、本発明による書き換え管理について、説明する。
図２は本発明によるセクタの一実施例を示す模式図である。図３はインジケータ領域の記録済み又は未記録の判別を説明するための模式図である。図２に示すように、本実施例のセクタ２０１はセクタアドレスを示すＩＤ領域２０２、ＥＣＣ（ｅｒｒｏｒ  ｃｏｒｒｅｃｔｉｏｎ  ｃｏｄｅ）領域２０４、インジケータ領域２０５から構成される。インジケータ領域２０５は本実施例によって設けられえた領域であり、ユーザデータ領域２０３のデータが確率的にＮ回書き換えられた場合、インジケータ領域２０５は予め定められた領域だけ記録される。既に、インジケータ領域に記録されている場合には、更に予め定められている領域だけ記録が追加される。確率的にＮ回とは、例えば１〜Ｎまでのタイマーを回転させておき、ユーザデータ領域及びＥＣＣ領域２０４を書き換えた時のタイマー値が予め定められた値、例えば、１になった時に新にインジケータの未記録部分に所定の長さの分だけ記録する。したがって、確率的にＮ回書き換えられるとは、ユーザデータ領域２０３及びＥＣＣ領域２０４を書き換えた時、１〜Ｎのタイマーの値が所定の値、例えば、１になったことを示す。この場合、確率的には、ユーザデータ領域２０３及びＥＣＣ領域２０４がＮ回書き換えられた時、インジケータ領域２０５に所定の長さの領域が新に記録されたことになる。したがって、インジケータ領域２０５の記録済み領域２０５ａを検出することによって、ユーザデータ領域２０５及びＥＣＣ領域２０４への概略の記録回数を知ることができる。インジケータ領域２０５に所定の長さのａ倍の領域が記録済みの場合には、ユーザデータ領域は確率的に（ａ×Ｎ）〜（（ａ＋１）×Ｎ）回書き換えられたと見ることができる。なお、これについては、別途に説明する。
図３に示すように、はインジケータ領域２０５には記録済み領域２０５ａと未記録領域２０５ｂとがある。半導体レーザ３０１から出力された記録用レーザビームによって、セクタ２０１のユーザデータ領域２０３やＥＣＣ領域２０４が確率的にＮ回記録された場合、インジケータ領域２０５も上書きされる。この際、記録を行いながらレーザ光の反射を光検出器３０２で検出する。反射光のレベルは記録済み領域２０５ａの方が未記録領域２０５ｂからの反射光のレベルより小さいので、所定のスレッシュレベルを設けることによって、記録済みか未記録かを判別することができる。図１の回路では、光検出器から得られた反射光をＩ−Ｖアンプ１０４で電圧に変換し、アナログ信号処理回路１０８を通して反射光処理部１０９で処理し、ＭＰＵ１１９で反射光のレベルから記録済み領域２０５ａか未記録領域２０５ｂかを判別し、インジケータ領域２０５の先頭から記録し、記録済み領域２０５ａと未記録領域２０５ｂの境界を検出したらその位置から所定の領域分記録を追加する。
【００１３】
図４はインジケータ領域における記録済み領域と未記録領域の検出と追加の記録を示す模式図及び波形図であり、図４（ａ）はインジケータ領域の記録済み領域と未記録領域を示す模式図、図４（ｂ）はレーザの反射光から再生された反射光再生信号を示す波形図、図４（ｃ）は記録レーザパワーとリードパワーを示す波形図、図４（ｄ）は所定の領域が記録済み領域として追加されたことを示す模式図である。
図４（ａ）に示すように、インジケータ領域２０５の内、４個の領域（斜線の領域）が記録済み領域２０５ａとして示されている。この場合、反射光を反射光処理部１０９で再生すると、記録済み領域２０５ａから得られる反射光再生信号は未記録領域２０５ｂから得られる反射光再生信号より小さいため、図４（ａ）に示すように、記録済み領域２０５ａから未記録領域２０５ｂの間で反射光再生信号の大きさが変化する。この反射光再生信号の振幅の相違によって、記録済み領域２０５ａと未記録領域２０５ｂとを判別することができる。
前述したように、ユーザデータ領域２０３及びＥＣＣ領域２０４が確率的にＮ回書き換えられた場合、インジケータ領域２０５は所定の長さの領域（以後１個の領域という）分だけ記録が追加され、図４（ｄ）に示すように、５個の領域が記録状態にされる。この場合、図４（ｃ）に示すように、１個の領域分だけ記録レーザパワーが遅延されるように、ＭＰＵ１１９から記録パルス発生器１１０に指令が伝達される。このように、ユーザデータ領域２０３等が確率的にＮ回書き換えられ毎に、書き換え回数を示すインジケータ領域２０５の記録領域が成長していくので、インジケータ領域２０５の記録済み領域２０５ａと未記録領域２０５ｂの境界の位置を知ることによって、当該セクタがどれだけ書き換えられたか（オーバライトされたか）を検出することができる。
前述の実施例では確率的にＮ回書き換えられた場合、書き換え毎にインジケータ領域２０５を書き換えている。ところが、書き換え可能回数が多いと、書き換え回数を示すインジケータ領域２０５が長くなってしまい、１セクタの物理的な長さが長くなり、ディスク上の総セクタ数が少なくなってしまう。例えば、１回の書き換えで、インジケータ領域２０５の記録済み領域２０５ａを１６Ｔづつ増加させると、１０００回の書き換え回数を管理するためには１６０００Ｔ＝１０００バイト（８／１６変調時）ものインジケータ領域２０５が必要になってしまう。そこで、インジケータ領域０５の長さを短くするために、前述したように、確率的にＮ回、ユーザデータ領域２０３及びＥＣＣ領域２０４を書き換えた場合、インジケータ領域２０５の１個の領域を記録済みの状態に変更する。例えば、１／１００の確率で更新（インジケータ領域２０５の１個の領域を未記録から記録済みの状態に変更する）すると、統計的に１００回の書き換えに対して、インジケータ領域２０５の１個の領域を記録済み領域に変更すれば良いので、インジケータ領域の長さは１６０Ｔで済むことになる。このように、確率的に更新する方法では正確な書き換え回数の管理はできないが、もともと書き換え可能回数自体があいまいなため、このような管理でも問題ない。このようにして得られたセクタ毎の書き換え回数を基に、例えば、ディスクの基準の書き換え可能回数に対して７０％以上の書き換え回数になった場合には、記録又は再生装置内で記録後のベリファイ（確認）を行い。ベリファイの結果エラーレートが悪い場合には予備の領域を準備し、そこに記録するようにする。図１の回路図では、デコーダ１１８でエラー数をチェックし、その結果をＭＰＵ１１９に伝送し、ＭＰＵ１１９で評価する。
【００１４】
次に、本発明による書き換え管理について、図５を用いて説明する。
図５は本発明による情報記録媒体記録再生装置の書き換え管理に関する動作処理の一実施例を示すフローチャートである。図１のＣＰＵ１１９には１〜Ｎの数字が順次現れるタイマを備えている。ステップ５０１では、記録レーザパワーでユーザデータ領域５０３及びＥＣＣ領域５０４を書き換える場合、セクタの記録開始時又はレーザがＥＣＣ領域５０４の終端にきた時、タイマの値が、例えば１であるか、他の値（２〜Ｎ）であるかを判断する。ステップ５０１でタイマの値が１の場合、ステップ５０２に移行して、インジケータ領域２０５の１個の未記録領域２０５ａを記録して記録済み領域２０５ｂとする。また、タイマの値が１以外の値の場合、ステップ５０３に移行し、インジケータ領域２０５には記録しない。次に、ステップ５０４に移行して、インジケータ領域２０５の記録済み領域５０２ａを反射光処理部１０９で検出し、ＭＰＵ１１９でその値が当該ディスクの記録可能回数の上限を超えたか否かを判断する。ステップ５０４で上限を超えた場合には、ステップ５０８に飛んで、そのセクタのスペア領域の割り付けを行う。割り付けられた領域には、当該セクタのユーザデータやＥＣＣを記録する。ステップ５０４で、記録可能回数の上限を超えない場合には、ステップ５０５に移行して、当該セクタへの書き換え回数が記録上限回数のｘ％、例えば７０％を超えたか否かを判別する。ステップ５０５で、記録上限回数の７０％を超えたと判断された場合、当該セクタ全部を読出し、デコーダ１１８でエラー数を算出し、エラーのバイト数をＭＰＵ１１９に出力する。ステップ５０７では、ＭＰＵ１１９でエラーのバイト数が所定の値を超えたか否かを判定し、エラーのバイト数が所定の値を超えた場合には、エラー有りと判断される。ステップ５０７でエラーが所定値以上発生している（Ｙｅｓ）と判断された場合には、当該セクタに対してスペア領域を割り付け、ユーザデータとＥＣＣの内容をこのスペア領域に書き込む。ステップ５０５でエラー数が７０％に満たない場合、ステップ５０７でエラーが所定値以上発生していないと判断された場合には、このフローは終了する。
【００１５】
図６は本発明に夜インジケータ領域における記録済み領域と未記録領域の判別を説明するための模式図及び信号波形図であり、図６（ａ）は記録前のディスク上のマークを示す模式図、図６（ｂ）は記録後のディスク上のマークを示す模式図、図６（ｃ）はレーザの記録パルスを示す波形図、図６（ｄ）は反射光から得られた信号を示す波形図、図６（ｅ）は記録未記録判別信号を示す波形図である。
図６（ａ）に示すように、ディスクのインジケータ領域２０５の記録済み領域２０５ａには既にマーク６０１が設けられている。このマーク６０１を記録前マークという。これに対して、図６（ｂ）は記録（オーバライト）後のディスク上のマーク６０２を示す。半導体レーザから出力される書込みパルス６０３は、図６（ｃ）に示すように、マルチパルスで出力される。この書込みパルス６０３によって図６（ｂ）に示すマーク６０２が形成される。図６（ｄ）は書込みパルス６０３によるディスクからの反射光を電気信号に変換した反射光再生信号６０４である。書込みパルス６０３から反射光再生信号６０４を差し引いた信号は図６（ｅ）に示すようになる。今、この信号を記録・未記録判別信号６０５という。記録・未記録判別信号６０５は記録前のマーク６０１に相当する部分が低くなる。今この部分を低レベル部６０５ａという。また、記録前のマーク６０１の間は高いレベルとなる。この部分を記録・未記録判別信号６０５の高レベル部６０５ｂという。記録前の時点では、ディスク上にマークがなく、未記録領域２０５ｂとなっている領域では、記録・未記録判別信号６０５は高レベル部６０５ｃを形成する。この高レベル部６０５ｃの幅が低レベル部６０５ａの幅の複数倍ある場合には高レベル部６０５ｃは未記録領域と判断することができる。即ち、一定期間、例えば、１６Ｔ期間低レベルが検出されない場合には、この部分は未記録領域２０５ｂと判断することができる。
【００１６】
図４を用いて説明したように、インジケータ領域２０５の未記録流域２０５ｂへの書込みは１／Ｎの確率で行なう。例えばユーザデータ領域２０３及びＥＣＣ領域２０４の書換えに対して、１／１００の確率でインジケータ領域２０５の未記録領域２０５ｂに書き込む場合、ＭＰＵ１１９の内部クロックで動作する１〜１００のインクリメントタイマを利用し、ＭＰＵ１１９がインジケータ領域２０５の直前でタイマ値をチェックし、タイマ値が１の場合は続けてインジケータ領域も記録する。そして、未記録領域２０５ｂを検出したら、未記録領域２０５ｂの開始から一定期間（例えば１６Ｔ）送れて記録を停止する。
【００１７】
図７はインジケータ領域における記録済み領域と未記録領域の検出と追加の記録を行なわない場合を示す模式図及び波形図であり、図７（ａ）はインジケータ領域の記録済み領域と未記録領域を示す模式図、図７（ｂ）はレーザの反射光から再生された反射光再生信号を示す波形図、図７（ｃ）は記録レーザパワーとリードパワーを示す波形図である。
インジケータ領域２０５は図７（ａ）に示すように、斜線で示す部分が記録済み領域２０５ａであり、白い部分が未記録領域２０５ｂである。この場合、反射光を再生した反射光再生信号は図７（ｂ）に示すように、記録済み領域２０５ａは小さく、未記録部分２０５ｂは大きくなる。上記の説明で、タイマが１以外の場合、即ち、２〜１００の値の場合、図７（ｃ）のレーザパワーで示すように、インジケータ領域２０５には記録は行なわない。但し、この場合でも未記録領域の判定を行なう。
図７（ｂ）に示すように、インジケータ領域２０５の記録済み領域２０５ａの長さがＬと判定された場合、当該セクタの書換え回数は、以下の式で求めることができる。
書換え回数＝（Ｌ／１回のＤｅｌａｙの長さ）×Ｎ
但し、１回のＤｅｌａｙの長さとは、図４に示すように、ユーザデータ領域２０３及びＥＣＣ領域２０４を確率的にＮ回書き換えた時にインジケータ領域の未記録領域２０５ｂに記録する領域、即ち、１個の領域の長さである。例えば、Ｌ＝６４Ｔ、１がでる確率が１／１００、Ｄｅｌａｙの長さ（１個の領域の長さ）を１６Ｔとすると、６４／１６×１００＝４００となるため、略４００回書き換えられたことが分かる。
【００１８】
以上述べたように、本発明によれば、各セクタの書換え回数が記録可能上限回数に対して所定の値を超えないとベリファイをしないので、高速に書換えを行なうことができる。また、書換え回数が多くなった時のみベリファイを行なうので、記録データの品質を保証することができる。また、本発明によれば、セクタ毎の書換え管理において、セクタを書き換える度にインクリメントする必要がないので、管理に要するディスク上のスペースをあまり取らない。
【００１９】
【発明の効果】
以上述べたように、本発明によれば、各セクタの書換え回数が記録可能上限回数に対して所定の値を超えないとベリファイをしないので、高速に書換えを行なうことができる。
また、書換え回数が多くなった時のみベリファイを行なうので、記録データの品質を保証することができる。
【図面の簡単な説明】
【図１】本発明による情報記録媒体記録再生装置の一実施例を示すブロック図である。
【図２】本発明によるセクタの一実施例を示す模式図である。
【図３】インジケータ領域の記録済み又は未記録の判別を説明するための模式図である。
【図４】インジケータ領域における記録済み領域と未記録領域の検出と追加の記録を示す模式図及び波形図である。
【図５】本発明による情報記録媒体記録再生装置の書き換え管理に関する動作処理の一実施例を示すフローチャートである。
【図６】本発明に夜インジケータ領域における記録済み領域と未記録領域の判別を説明するための模式図及び信号波形図である。
【図７】インジケータ領域における記録済み領域と未記録領域の検出と追加の記録を行なわない場合を示す模式図及び波形図である。
【符号の説明】
１０１…光ディスク、１０２…光ピックアップ、１０３…スピンドルモータ、１０４…Ｉ−Ｖアンプ、１０５…レーザ制御ドライバ、１０６…スピンドルモータ制御ドライバ、１０７…フォーカシング及びトラッキング処理部、１０８…アナログ信号処理回路、１０９…反射光処理部、１１０…記録パルス発生器、１１１…スピンドル制御回路、１１２…アシンメトリ処理部、１１３…イコライザ、１１４…ウォブル処理部、１１５…エンコーダ、１１６…ＰＬＬ回路、１１７…二値化回路、１１８…デコーダ、１１９…ＭＰＵ、２０１…セクタ、２０２…ＩＤ領域、２０３ユーザデータ領域、２０４…ＥＣＣ領域、２０５…インジケータ領域、２０５ａ…記録済み領域、２０５ｂ…未記録領域。
【図１】
2004213787.tif 000003
【図２】
2004213787.tif 000004
【図３】
2004213787.tif 000005
【図４】
2004213787.tif 000006
【図５】
2004213787.tif 000007
【図６】
2004213787.tif 000008
【図７】
2004213787.tif 000009